(57)【要約】【課題】端子間の嵌合部に水等が浸入することを効果的に防止ないし抑制すること。【解決手段】コネクタ１は、インバータ側端子台３０と、インバータ側端子台３０に保持されるインバータ側端子３２と、モータ側端子台４０と、モータ側端子台４０に保持されるモータ側端子４２と、略筒状をなし、可撓性を有する蛇腹部７４と、筒軸方向の両端部にそれぞれ設けられた第１接続部７２Ａ、第２接続部７２Ｂと、を有するゴムブーツ７０と、を備え、インバータ側端子３２とモータ側端子４２とは筒軸方向に沿った方向を嵌合方向として互いに嵌合され、ゴムブーツ７０は、インバータ側端子３２とモータ側端子４２との嵌合部を囲む形で配され、第１接続部７２Ａがインバータ側端子台３０に対してシールされて接続されるとともに、第２接続部７２Ｂがモータ側端子台４０に対してシールされて接続される。【選択図】図４
2015115252.tif 000002
【特許請求の範囲】
【請求項１】
本体側部材と、
前記本体側部材に保持される本体側端子と、
相手側部材と、
前記相手側部材に保持される相手側端子と、
略筒状をなし、可撓性を有する可撓部と、筒軸方向の両端部にそれぞれ設けられた接続部と、を有する筒状部材と、を備え、
前記本体側端子と前記相手側端子とは、前記筒軸方向に沿った方向を嵌合方向として互いに嵌合され、
前記筒状部材は、前記本体側端子と前記相手側端子との嵌合部を囲む形で配され、一方の前記接続部が前記本体側部材に対してシールされて接続されるとともに、他方の前記接続部が前記相手側部材に対してシールされて接続されることを特徴とするコネクタ。
【請求項２】
インバータとモータとの間を接続する請求項１に記載のコネクタであって、
前記本体側部材は、インバータ側端子台とインバータケースとを有し、
前記相手側部材は、モータ側端子台とモータケースとを有し、
前記本体側端子は、前記インバータ側端子台に保持され、
前記相手側端子は、前記モータ側端子台に保持され、
前記筒状部材の前記一方の接続部は、前記インバータ側端子台と前記インバータケースとの間で軸シールされることを特徴とするコネクタ。
【請求項３】
前記筒状部材の前記他方の接続部は、その外周面に環状をなす板金部材が嵌め込まれるとともに、前記モータ側端子台と前記板面部材との間で挟持されて固定されることを特徴とする請求項２に記載のコネクタ。
【請求項４】
前記モータ側端子台に、前記インバータ側端子台に向かって突出するとともに、前記筒状部材の前記他方の接続部と前記筒軸方向において重畳する環状のリブが設けられていることを特徴とする請求項３に記載のコネクタ。
【発明の詳細な説明】
【技術分野】
【０００１】
本発明は、コネクタに関する。
【背景技術】
【０００２】
従来、ハイブリッド自動車や電気自動車におけるインバータとモータとの間の接続において、インバータ側に設けられた端子とモータ側に設けられた端子とを嵌合することで、インバータとモータとの間を接続するコネクタが知られている。
【０００３】
例えば特許文献１には、インバータを収容するケースに設けられた端子とモータを収容するケースに設けられた端子とを導電性ゴムを介して嵌合する機器接続用コネクタ構造が開示されている。この機器接続用コネクタ構造では、モータ側において、端子間を嵌合する嵌合部を囲む形で環状をなすゴム製の防水パッキンが配されており、これにより、当該嵌合部の防水が図られている。
【先行技術文献】
【特許文献】
【０００４】
【特許文献１】特開２０１２−９４２６３号公報
【発明の概要】
【発明が解決しようとする課題】
【０００５】
しかしながら、上記特許文献１の機器接続用コネクタ構造では、上記嵌合部において、インバータ側の部材とモータ側の部材との間に防水パッキンが配され、両者の間が防水パッキンによって軸シールされることで防水が図られる。このため、振動等が生じた場合、インバータ側の部材とモータ側の部材とが相対移動により位置ずれすることで、インバータ側の部材とモータ側の部材との間で防水パッキンが局所的に圧縮され、防水パッキンに永久歪が生じる虞がある。防水パッキンにこのような永久歪が生じると、防水パッキンと他の部材との間に隙間が生じ易くなり、防水性能が低下する。
【０００６】
本発明は、上記の課題に鑑みて創作されたものであって、端子間の嵌合部に水等が浸入することを効果的に防止ないし抑制することを目的とする。
【課題を解決するための手段】
【０００７】
本発明のコネクタは、本体側部材と、前記本体側部材に保持される本体側端子と、相手側部材と、前記相手側部材に保持される相手側端子と、略筒状をなし、可撓性を有する可撓部と、筒軸方向の両端部にそれぞれ設けられた接続部と、を有する筒状部材と、を備え、前記本体側端子と前記相手側端子とは、前記筒軸方向に沿った方向を嵌合方向として互いに嵌合され、前記筒状部材は、前記本体側端子と前記相手側端子との嵌合部を囲む形で配され、一方の前記接続部が前記本体側部材に対してシールされて接続されるとともに、他方の前記接続部が前記相手側部材に対してシールされて接続されることを特徴とする。
【０００８】
上記のコネクタでは、本体側端子と相手側端子とが嵌合された状態において、筒状部材によって囲まれる空間内に本体側端子と相手側端子との嵌合部が位置するものとされる。そして、筒状部材の両端部がそれぞれ本体側部材と相手側部材とに対してシールされて接続されることで、上記空間内に水等が浸入することを筒状部材によって防止することができる。さらに、本体側部材と相手側部材との間に上記嵌合部を囲む形で筒状部材の可撓部が位置することとなるので、振動等が生じることで本体側部材と相手側部材とが相対移動した場合であっても、筒状部材の可撓部が両部材の間で変位自在に撓むことで両部材の相対移動による位置ずれを吸収することができる。このため、振動等が生じた場合であっても筒状部材による防水性能が低下することがなく、端子間の嵌合部に水等が浸入することを効果的に防止ないし抑制することができる。
【０００９】
インバータとモータとの間を接続する上記のコネクタであって、前記本体側部材は、インバータ側端子台とインバータケースとを有し、前記相手側部材は、モータ側端子台とモータケースとを有し、前記本体側端子は、前記インバータ側端子台に保持され、前記相手側端子は、前記モータ側端子台に保持され、前記筒状部材の前記一方の接続部は、前記インバータ側端子台と前記インバータケースとの間で軸シールされてもよい。
【００１０】
これによると、インバータケースに組付けられたインバータ側端子台とモータケースに組付けられたモータ側端子台との間に筒状部材の可撓部が位置することとなる。そして、インバータケースとインバータ側端子台との組付け部位が筒状部材の一方の接続部によって軸シールされることで、当該組付け部位から上記嵌合部に水等が浸入することを効果的に防止ないし抑制することができる。そして、上記のように振動等が生じた場合であっても、筒状部材の可撓部が撓むことによってインバータ側端子台とモータ側端子台との相対移動による位置ずれが吸収されるため、インバータケースとインバータ側端子台とが相対移動することを防止ないし抑制することができ、軸シールされた筒状部材の一方の接続部が局所的に圧縮されて永久歪が生じることを防止ないし抑制することができる。このため、端子間の嵌合部に水等が浸入することを効果的に防止ないし抑制することができる。
【００１１】
上記のコネクタにおいて、前記筒状部材の前記他方の接続部は、その外周面に環状をなす板金部材が嵌め込まれるとともに、前記モータ側端子台と前記板面部材との間で挟持されて固定されてもよい。
【００１２】
この構成によると、モータ側端子台が筒状部材における他方の接続部の内周面側に配されるとともに、板金部材が筒状部材における他方の接続部の外周面側に配される形で、他方の接続部がモータ側端子台と板金部材との間に挟持されることで、他方の接続部とモータ側端子台の接続部分から上記嵌合部に水等が浸入することを効果的に防止ないし抑制することができる。そして、上記のように振動等が生じた場合であっても、筒状部材の可撓部が撓むことによってインバータ側端子台とモータ側端子台との相対移動による位置ずれが吸収されるため、モータ側端子台と筒状部材の他方の接続部に嵌め込まれた板金部材とが相対移動することを防止ないし抑制することができ、筒状部材の他方の接続部が局所的に圧縮されて永久歪が生じることを防止ないし抑制することができる。このため、端子間の嵌合部に水等が浸入することを効果的に防止ないし抑制することができる。
【００１３】
上記のコネクタにおいて、前記モータ側端子台に、前記インバータ側端子台に向かって突出するとともに、前記筒状部材の前記他方の接続部と前記筒軸方向において重畳する環状のリブが設けられていてもよい。
【００１４】
この構成によると、モータ側端子台側に上記他方の接続部と接触させるための環状部材等を別途配しなくとも、筒状部材における他方の接続部の内周面をモータ側端子台のリブに接触させることができるため、部材コストを低減することができ、さらに、モータ側端子台側の組付け工程を簡略化することができる。
【発明の効果】
【００１５】
本発明によれば、端子間の嵌合部に水等が浸入することを効果的に防止ないし抑制することができる。
【図面の簡単な説明】
【００１６】
【図１】インバータ側端子台とモータ側端子台との嵌合部分を上方から視た平面図
【図２】インバータ側端子台とモータ側端子台との嵌合部分を正面から視た正面図
【図３】図１におけるIII−III断面の断面構成であって、インバータ側端子台とモータ側端子台との嵌合部分の断面を表す断面図
【図４】モータ側端子台にゴムブーツを接続させる前の状態を表す断面図
【図５】モータ側端子台にゴムブーツを接続させた後の状態を表す断面図
【発明を実施するための形態】
【００１７】
＜実施形態１＞
図面を参照して実施形態を説明する。本実施形態では、例えばハイブリッド自動車や電気自動車において、図示しないインバータと図示しないモータとの間を電気的に接続するコネクタ１について例示する。なお、各図面の一部には、互いに直交するＸ軸、Ｙ軸及びＺ軸を示しており、各軸方向が各図面で示した方向となるように描かれている。このうちＺ軸方向は、図２乃至図５における紙面上側を上方として、上下方向と一致している。
【００１８】
本実施形態のコネクタ１は、図３乃至図５に示すように、インバータケース（本体側部材の一例）１０と、モータケース（相手側部材の一例）２０と、インバータ側端子台（本体側部材の一例）３０と、インバータと電気的に接続されるインバータ側端子（本体側端子の一例）３２と、モータ側端子台（相手側部材の一例）４０と、モータと電気的に接続されるインバータ側端子（相手側端子の一例）４２と、インバータ側端子台３０に保持されるインナハウジング５０と、編組線６０と、ゴムブーツ（筒状部材の一例）７０と、を備える。
【００１９】
コネクタ１は、図１及び図２に示すように、インバータ側とモータ側との間にＹ軸方向に沿って６つ並列した形で配され、インバータとモータとの間を電気的に接続する中継端子とされる。インバータケース１０は、インバータを収容する部材とされ、モータケース２０は、モータを収容する部材とされる。各図面では、上側をインバータ側とし、下側をモータ側として、インバータケース１０についてはインバータの下側を覆う下側部分のみを図示しており、モータケース２０についてはモータの上側を覆う上側部分のみを図示している。
【００２０】
インバータケース１０の下側部分の一部には、図３乃至図５に示すように、下方に向かってリブ状に突出するインバータ側リブ１２と、このインバータ側リブ１２によって囲まれるインバータ側開口部１４とが設けられている。一方、モータケース２０の上側部分の一部には、上方に向かってリブ状に突出するモータ側リブ２２と、このモータ側リブ２２によって囲まれるモータ側開口部２４とが設けられている。
【００２１】
インバータ側端子台３０は、図１に示すように、平面に視た大きさがインバータケース１０の下側部分よりも小さな部材とされる。インバータ側端子台３０の一部には、インナハウジング５０が取り付けられるハウジング取付部３４が設けられている。ハウジング取付部３４は、下方に開口する短い略筒状をなしており、その上部開口縁がＸ−Ｙ平面に平行な形で内側に張り出している。そして、この張り出した部位の下面が、インナハウジング５０が支持されるハウジング支持面３４Ａとされている。
【００２２】
インナハウジング５０は、上下方向を筒軸方向とする略筒状をなしており、その上部開口近傍の外周面には、外側に向かってＸ−Ｙ平面方向に平行に張り出す張出部５２が設けられている。インナハウジング５０内における下部開口側には、上述したインバータ側端子３２が収容されている。インバータ側端子３２は、雌型端子であり、その接続口を下方に向けた形で、インナハウジング５０の上部開口近傍の内壁から延びるランス５４によって保持されている。
【００２３】
インナハウジング５０は、その張出部５２がハウジング取付部３４の支持面３４Ａに宛がわれている。さらに、環状をなすリテーナ部材６２が、その内側にインナハウジング５０が挿通される形でハウジング取付部３４の下部開口側から取り付けられている。これにより、インナハウジング５０は、その張出部５２が支持面３４Ａとリテーナ部材６２との間に挟持された形でインナハウジング５０に取り付けられており、支持面３４Ａに対してフローティング支持されている。従って、インバータ側端子３２は、インナハウジング５０を介してインバータ側端子台３０に保持されている。
【００２４】
インバータ側端子３２の接続口とは反対側の一部は、インナハウジング５０の内壁に沿って当該インナハウジング５０の上部開口近傍まで延びており、上述した編組線６０の一端部と接続されている。編組線６０は、可撓性を有する導電部材であり、インバータ側端子台３０内において引き回されている。編組線６０におけるインバータ側端子３２と接続された端部とは反対側の端部は、インバータと電気的に接続されている。このため、インバータ側端子３２には、インバータで変換された交流電源が供給されるようになっている。
【００２５】
インバータ側端子台３０は、図３乃至図５に示すように、その底板部３０Ａがインバータケース１０の下部内壁に宛がわれるとともに、インナハウジング５０の下側部分がインバータケース１０のインバータ側開口部１４に挿通された状態で、インバータケース１０に対して組付け固定されている。インバータ側端子台３０がインバータケース１０に対して組付けられた状態では、インバータケース１０におけるインバータ側リブ１２とインバータ側端子台３０におけるハウジング取付部３４の下部外面との間に間隙Ｇが設けられる。
【００２６】
モータ側端子台４０は、図１及び図２に示すように、モータケース２０の上側部分に載置される形で配される。モータ側端子台４０には、図３乃至図５に示すように、略板状をなす本体部４４と、本体部４４の一部から上下方向に突出する突出部４６と、環状をなし、突出部４６の上側部分を囲む形で本体部４４の上面から上方に突出する本体部側リブ（リブの一例）４８と、が設けられている。
【００２７】
モータ側端子台４０における突出部４６の上側部分は、上方に開口しており、上述したモータ側端子４２が収容されるモータ側ハウジング４６Ａとされている。モータ側端子４２は、雄型端子であり、上側を接続側として、モータ側ハウジング４６Ａ内で上下方向に延びる形で当該モータ側ハウジング４６Ａに固定されている。モータ側端子４２は、突出部４６の下側部分まで延びてモータと電気的に接続されており、インバータ側から供給された交流電源をモータ側へ供給する。
【００２８】
モータ側端子台４０は、図３乃至図５に示すように、その本体部４４が、シール部材Ｓを介してモータケース２０のモータ側リブ２２上に載置されるとともに、その突出部４４の下側部分がモータケース２０のモータ側開口部２４に挿通された状態で、ボルトＢによってモータケース２０と締結されることで、モータケース２０に対して組付け固定されている。なお、モータ側端子台４０における本体部４４とモータケース２０におけるモータ側リブ２２との間に上記シール部材Ｓが配されることで、両者の間がシールされ、本体部４４とモータ側リブ２２との間（モータケース２０内）に水等が浸入することが防止されている。
【００２９】
コネクタ１において、インバータケース１０とモータケース２０の間は、図３に示すように、モータ側ハウジング４６Ａ内にインナハウジング５０がその下方から嵌め入れられてインバータ側端子３２とモータ側端子４２とが上下方向（Ｚ軸方向）において雄雌嵌合されることで、組付けられる。インバータ側端子３２とモータ側端子４２とが嵌合されることで、両端子３２、４２間が電気的に接続される。その結果、インバータとモータとの間が直接接続され、インバータで変換された交流電源がモータに供給される。
【００３０】
続いてゴムブーツ７０について詳しく説明する。ゴムブーツ７０は、略筒状をなすゴム製の部材とされる。ゴムブーツ７０は、図３乃至図５に示すように、その筒軸方向を上下方向と一致させた姿勢で、インバータ側端子３２とモータ側端子４２との嵌合部を囲む形で、インバータ側端子台３０とモータ側端子台４０との間に配される。換言すれば、インバータ側端子３２とモータ側端子４２との嵌合部は、ゴムブーツ７０によって囲まれる空間７０Ｓ内に位置するものとされる。
【００３１】
ゴムブーツ７０は、その筒軸方向の両端部がそれぞれインバータ側とモータ側とに接続される接続部７２Ａ、７２Ｂとされている。以下では、ゴムブーツ７０の両端部のうち、上側（インバータ側）に位置する端部を第１接続部（一方の接続部の一例）７２Ａとし、下側（モータ側）に位置する端部を第２接続部（他方の端部の一例）７２Ｂと称する。
【００３２】
ゴムブーツ７０は、その両端部を除く部位（第１接続部７２Ａと第２接続部７２Ｂとの間の部位）が、その筒軸方向に沿って蛇腹状をなす蛇腹部（可撓部の一例）７４とされている。このためゴムブーツ７０は、蛇腹部７４において可撓性を有するものとされ、その筒軸方向に沿って伸縮自在とされるとともに、横方向（Ｘ−Ｙ平面方向）に対しても撓むことが可能となっている。即ちゴムブーツ７０はその蛇腹部７４において変位自在とされている。
【００３３】
ゴムブーツ７０の第１接続部７２Ａは、インバータ側端子台３０とインバータケース１０との間にシールされて接続されている。詳しくは、第１接続部７２Ａは、肉厚とされ、断面視略円形状をなしてインバータ側端子台３０とインバータケース１０との間に設けられた上記間隙Ｇを塞いでいる。これにより、第１接続部７２Ａは、インバータ側端子台３０におけるハウジング取付部３４の下部外面とインバータケース１０におけるインバータ側リブ１２との間で軸シールされている。このため、上記間隙Ｇからインバータケース１０内に水等が浸入すること、及び第１接続部７２Ａとハウジング取付部３４の下部外面との間からゴムブーツ７０によって囲まれる空間７０Ｓ内に水等が浸入すること、がそれぞれ防止されている。
【００３４】
ここで、モータ側端子台４０における本体部側リブ４８は、ゴムブーツ７０の第２接続部７２Ｂと上下方向において重畳するような配置で設けられている。そして、図３に示すように、ゴムブーツ７０の第２接続部７２Ｂは、その内周面が本体部側リブ４８の外周面に宛がわれている。一方、第２接続部７２Ｂの外周面には、環状をなす板金部材８０が第２接続部７２Ｂを内側に押圧する形で嵌め込まれている。従って、第２接続部７２Ｂは、モータ側端子台４０の本体部側リブ４８と板面部材８０との間で挟持された形となっている。
【００３５】
このようにゴムブーツ７０の第２接続部７２Ｂがモータ側端子台４０の本体部側リブ４８と板面部材８０との間で挟持されることで、第２接続部７２Ｂは、モータ側端子台４０にシールされて接続されるとともに、モータ側端子台４０に対して固定されている。このため、第２接続部７２Ｂと本体部側リブ４８との間から、ゴムブーツ７０によって囲まれる空間７０Ｓ内に水等が浸入することが防止されている。以上のようにコネクタ１では、ゴムブーツ７０の両端部がそれぞれインバータ側とモータ側とにシールされて接続されることで、ゴムブーツ７０によって囲まれる空間７０Ｓがコネクタ１の外部から密閉された状態とされ、インバータ側端子３２とモータ側端子４２との嵌合部の防水が図られている。
【００３６】
本実施形態のコネクタ１は以上のような構成であり、続いてインバータ側及びモータ側へのゴムブーツ７０の取り付け態様、及びインバータとモータとの間の接続態様について、図３乃至図５を参照して説明する。本実施形態のコネクタ１によってインバータとモータとの間を接続する場合、インバータケース１０とインバータ側端子台３０とを組付けるとともにモータケース２０とモータ側端子台４０とを組付けした後、まず、モータ側端子台４０のハウジング取付部３４にインナハウジング５０を取り付ける。
【００３７】
次に、図４に示すように、ゴムブーツ７０の第１接続部７２Ａを、上記間隙Ｇを塞ぐように軸シールすることで、インバータ側端子台３０とインバータケース１０との間に接続する。この状態では、ゴムブーツ７０は、図４に示すように、その自重によって蛇腹部７４が下方に伸長し、ゴムブーツ７０によって囲まれる空間７０Ｓ内にインナハウジング５０が位置する形となる。次に、ゴムブーツ７０の下部開口側から、ゴムブーツ７０の第２接続部７２Ｂの外周面に板金部材８０を嵌め入れる。
【００３８】
次に、図５に示すように、ゴムブーツ７０の第１接続部７２Ａが接続されたインバータ側端子台３０を、ゴムブーツ７０の下部開口がモータ側端子台４０における本体部側リブ４８と上下方向において重畳するように近づけ、ゴムブーツ７０の第２接続部７２Ｂの内周面を、モータ側端子台４０における本体部側リブ４８の外周面に嵌め入れる。これにより、第２接続部７２Ｂがモータ側端子台４０に対してシールされて接続される。
【００３９】
このようにして、ゴムブーツ７０の両端部がインバータ側とモータ側とに取り付けられる。なお、ゴムブーツ７０はその蛇腹部７４が可撓性を有するため、上述したゴムブーツ７０の取り付け手順において、インバータ側への第１接続部７２Ａの接続、及びモータ側への第２接続部７２Ｂの接続は、それぞれ手動で行うものとする。
【００４０】
次に、インバータ側端子台３０とモータ側端子台４０との間を近づけ、インバータ側端子３２とモータ側端子４２とを嵌合させる。このとき、インバータ側端子台３０とモータ側端子台４０との間が近づくことで、ゴムブーツ７０は、その蛇腹部７４が上下方向において収縮する。以上の手順によって、本実施形態のコネクタ１では、インバータ側端子３２とモータ側端子４２との嵌合部を囲む形でゴムブーツ７０を取り付けながら、インバータとモータとの間を電気的に接続することができる。
【００４１】
以上説明したように本実施形態のコネクタ１では、インバータ側端子３２とモータ側端子４２とが嵌合された状態において、ゴムブーツ７０によって囲まれる空間７０Ｓ内にインバータ側端子３２とモータ側端子４２との嵌合部が位置するものとされる。そして、ゴムブーツ７０の両端部がそれぞれインバータ側端子３２とモータ側端子４２とに対してシールされて接続されることで上記空間７０Ｓがコネクタ１の外部から密閉された状態となり、上記空間７０Ｓ内に水等が浸入することをゴムブーツ７０によって防止することができる。
【００４２】
さらに、インバータ側端子台３０とモータ側端子台４０との間において、上記嵌合部を囲む形でゴムブーツ７０の蛇腹部７４が位置することとなるので、振動等が生じることでインバータ側端子台３０とモータ側端子台４０とが相対移動した場合であっても、ゴムブーツ７０の蛇腹部７４がインバータ側端子台３０とモータ側端子台４０との間で変位自在に撓むことで、インバータ側端子台３０とモータ側端子台４０との相対移動による各方向への位置ずれを吸収することができる。このため、振動等が生じた場合であってもゴムブーツ７０による防水性能が低下することがなく、インバータ側端子３２とモータ側端子４２との間の嵌合部に水等が浸入することを効果的に防止ないし抑制することができる。
【００４３】
また、本実施形態のコネクタ１では、インバータケース１０とインバータ側端子台３０との間に設けられた間隙Ｇがゴムブーツ７０の第１接続部７２Ａによって軸シールされることで、当該間隙Ｇから上記嵌合部に水等が浸入することを効果的に防止ないし抑制することができる。そして、上記のように振動等が生じた場合であっても、ゴムブーツ７０の蛇腹部７４が撓むことによってインバータ側端子台３０とモータ側端子台４０との相対移動による位置ずれが吸収されるため、インバータケース１０とインバータ側端子台３０とが相対移動することを防止ないし抑制することができ、軸シールされたゴムブーツ７０の第１接続部７２Ａが局所的に圧縮されて永久歪が生じることを防止ないし抑制することができる。
【００４４】
また、本実施形態のコネクタ１では、モータ側端子台４０の本体側リブ４８がゴムブーツ７０の第２接続部７２Ｂの内周面側に配されるとともに、板金部材８０がゴムブーツ７０の第２接続部７２Ｂの外周面側に配される形で、第２接続部７２Ｂが本体部側リブ４８と板金部材８０との間に挟持されることで、第２接続部７２Ｂとモータ側端子台４０の接続部分から上記嵌合部に水等が浸入することを効果的に防止ないし抑制することができる。そして、上記のように振動等が生じた場合であっても、ゴムブーツ７０の蛇腹部７４が撓むことによってインバータ側端子台３０とモータ側端子台４０との相対移動による位置ずれが吸収されるため、モータ側端子台４０とゴムブーツ７０の第２接続部７２Ｂに嵌め込まれた板金部材８０とが相対移動することを防止ないし抑制することができ、ゴムブーツ７０の第２接続部７２Ｂが局所的に圧縮されて永久歪が生じることを防止ないし抑制することができる。
【００４５】
また、本実施形態のコネクタ１では、モータ側端子台４０に設けられた本体部側リブ４８が、ゴムブーツ７０の第２接続部７２Ｂとその筒軸方向（上下方向）において重畳する形で設けられている。このような構成とされていることで、モータ側端子台４０側に第２接続部７２Ｂと接触させるための環状部材等を別途配しなくとも、ゴムブーツ７０の第２接続部７２Ｂの内周面をモータ側端子台４０の本体部側リブ４８に接触させることができるため、部材コストを低減することができ、さらに、モータ側端子台４０側の組付け工程を簡略化することができる。
【００４６】
ここで、インバータ側の端子台とモータ側の端子台とが接続される構成では、両端子台の間にゴム製の防振部材を介在させることがあるが、振動等が生じた場合、振動によるインバータ側の各部材とモータ側の各部材との相対移動による位置ずれによって防振部材が局所的に圧縮され、防振部材に永久歪が生じることがある。これに対し本実施形態のコネクタ１では、ゴムブーツ７０の蛇腹部７４が変位自在に撓むことによって上記位置ずれが吸収されるため、防振部材が局所的に圧縮され難いものとなり、防振部材に永久歪が生じることを防止ないし抑制することができる。
【００４７】
また、インバータ側の端子とモータ側の端子との嵌合部を囲む空間について、複数の軸シールのみで防水を図る従来の構成においては、振動等が生じた場合、インバータ側の各部材とモータ側の各部材との相対移動による位置ずれによって複数の軸シールが局所的に圧縮されて軸シールに永久歪が生じ、防水性能が低下する虞がある。これに対し本実施形態のコネクタ１では、上記のように、ゴムブーツ７０の蛇腹部７４が撓むことによって上記位置ずれが吸収されるため、防水性能が低下することを防止ないし抑制することができる。
【００４８】
上記の各実施形態の変形例を以下に列挙する。
（１）上記の実施形態では、ゴムブーツの第１接続部がインバータ側端子台とインバータ側端子との間の間隙に軸シールされることでインバータ側にシールされて接続される構成を例示したが、第１接続部のインバータ側への接続態様は限定されない。例えば第１接続部が、インバータ側端子台又はインバータ側端子に対して面シールされて接続される構成であってもよい。
【００４９】
（２）上記の実施形態では、ゴムブーツの第２接続部がモータ側端子台の本体側リブと板金部材との間に挟持されることでモータ側にシールされて接続される構成を例示したが、第２接続部のモータ側への接続態様は限定されない。例えば、モータ側端子台のモータ側ハウジング周りにゴムリング等が配され、そのゴムリングの外周側に第２接続部の内周面が宛がわれることで第２接続部がモータ側端子台に接続される構成であってもよい。
【００５０】
（３）上記の実施形態では、ゴムブーツの第２接続部がモータ側端子台の一部である本体側リブに接続される構成を例示したが、第２接続部がモータケースの一部に接続される構成であってもよいし、モータケースとモータ側端子台との組付け部位に接続される構成であってもよい。
【００５１】
（４）上記の実施形態では、ゴムブーツの第１接続部と第２接続部の間に蛇腹状の蛇腹部を設けることで可撓性を有するものとした構成を例示したが、可撓性を有するものとするためのゴムブーツの形状及び構成については限定されない。
【００５２】
（５）上記の実施形態では、ゴムブーツがゴム製とされた構成を例示したが、ゴムブーツの材質については限定されない。例えば、ゴムブーツが可撓性を有するゴム以外の合成樹脂製とされてもよい。
【００５３】
（６）上記の実施形態では、本体側部材の一例としてインバータ側端子台とインバータケースとを例示し、相手側部材の一例としてモータ側端子台とモータケースとを例示したが、本体側部材と相手側部材の構成については限定されない。
【００５４】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【符号の説明】
【００５５】
１…コネクタ
１０…インバータケース
２０…モータケース
３０…インバータ側端子台
３２…インバータ側端子
４０…モータ側端子台
４２…モータ側端子
４８…本体部側リブ
５０…インナハウジング
６０…編組線
７０…ゴムブーツ
７０Ｓ…ゴムブーツによって囲まれる空間
７２Ａ…第１接続部
７２Ｂ…第２接続部
７４…蛇腹部
８０…板金部材
Ｓ…間隙
【図１】
2015115252.tif 000003
【図２】
2015115252.tif 000004
【図３】
2015115252.tif 000005
【図４】
2015115252.tif 000006
【図５】
2015115252.tif 000007